【手続補正書】
【提出日】平成17年6月16日(2005.6.16)
【手続補正１】
【補正対象書類名】明細書
【補正対象項目名】特許請求の範囲
【補正方法】変更
【補正の内容】
【特許請求の範囲】
【請求項１】
マニュアル操作に応じて、画像をファクシミリ送信する方法または画像を電子メールに添付して送信する方法を選択する選択手段と、
種類が異なる複数の入力手段の一つを使用して、送信すべき画像を入力する入力手段と、
前記選択した送信方法および前記使用した入力手段の種類に従い、前記送信すべき画像を色空間変換する必要があるか否かを判定する判定手段と、
前記判定手段によって色空間変換が必要と判定される場合、前記選択した送信方法に応じた色空間変換処理を前記送信すべき画像に施す変換手段と、
前記入力手段によって入力した画像、または、前記変換手段によって色空間変換した画像を符号化する符号化手段と、
前記入力手段によって入力した画像、または、前記符号化手段によって符号化した画像を前記選択した送信方法で送信する送信手段とを有し、
通信相手との通信開始前に、前記変換手段は、前記ファクシミリ送信が選択された場合は前記送信すべき画像の色空間をCIELab色空間に変換し、前記電子メールに添付して送信が選択された場合は前記送信すべき画像の色空間をYCrCb色空間に変換することを特徴とする画像通信装置。
【請求項２】
前記符号化手段はJPEG符号化を行うことを特徴とする請求項1に記載された画像通信装置。
【請求項３】
前記送信手段は、前記ファクシミリ送信が選択された場合に前記符号化された画像に基づき信号を変調する変調手段、および、前記電子メールに添付して送信が選択された場合に前記符号化された画像を含む電子メールデータを生成する生成手段を有することを特徴とする請求項1または請求項2に記載された画像通信装置。
【請求項４】
前記送信手段は、さらに、前記ファクシミリ送信が選択された場合に、前記変調された信号をPCM符号化するPCM符号化手段、および、PCM符号をディジタル通信回線へ送信し、前記電子メールデータをインターネットへ送信する手段を有することを特徴とする請求項3に記載された画像通信装置。
【請求項５】
前記複数の入力手段は、原稿から送信すべき画像を読み取り、RGB色空間の画像を出力する読取手段を含むことを特徴とする請求項1から請求項4の何れかに記載された画像通信装置。
【請求項６】
前記複数の入力手段は、記録メディアに記録された画像を送信すべき画像として入力する読取手段を含むことを特徴とする請求項1から請求項4の何れかに記載された画像通信装置。
【請求項７】
マニュアル操作に従い、画像をファクシミリ送信する方法または画像を電子メールに添付して送信する方法を選択し、
種類が異なる複数の入力手段の一つを使用して、送信すべき画像を入力し、
前記選択した送信方法および前記使用した入力手段の種類に従い、前記送信すべき画像を色空間変換する必要があるか否かを判定し、
前記判定によって色空間変換が必要と判定される場合、前記選択した送信方法に応じた色空間変換処理を前記送信すべき画像に施し、
前記入力した画像、または、前記色空間変換処理を施した画像を符号化し、
前記入力した画像、または、前記符号化した画像を前記選択した送信方法で送信する各ステップを有し、
通信相手との通信開始前に、前記ファクシミリ送信が選択された場合は前記送信すべき画像の色空間をCIELab色空間に変換し、前記電子メールに添付して送信が選択された場合は前記送信すべき画像の色空間をYCrCb色空間に変換することを特徴とする画像通信方法。
【請求項８】
前記複数の入力手段は、原稿から送信すべき画像を読み取り、RGB色空間の画像を出力する読取手段を含むことを特徴とする請求項7に記載された画像通信方法。
【請求項９】
前記複数の入力手段は、記録メディアに記録された画像を送信すべき画像として入力する読取手段を含むことを特徴とする請求項7に記載された画像通信方法。
【請求項１０】
画像通信装置を制御して、請求項7から請求項9の何れかに記載された画像通信を実行するプログラムが記録されたことを特徴とする記録媒体。
【手続補正２】
【補正対象書類名】明細書
【補正対象項目名】００１４
【補正方法】変更
【補正の内容】
【００１４】
本発明は、選択された画像の送信方法に応じて、適切な形態の画像を送信することを目的とする。
【手続補正３】
【補正対象書類名】明細書
【補正対象項目名】００１６
【補正方法】変更
【補正の内容】
【００１６】
本発明にかかる画像通信装置は、マニュアル操作に応じて、画像をファクシミリ送信する方法または画像を電子メールに添付して送信する方法を選択する選択手段と、種類が異なる複数の入力手段の一つを使用して、送信すべき画像を入力する入力手段と、前記選択した送信方法および前記使用した入力手段の種類に従い、前記送信すべき画像を色空間変換する必要があるか否かを判定する判定手段と、前記判定手段によって色空間変換が必要と判定される場合、前記選択した送信方法に応じた色空間変換処理を前記送信すべき画像に施す変換手段と、前記入力手段によって入力した画像、または、前記変換手段によって色空間変換した画像を符号化する符号化手段と、前記入力手段によって入力した画像、または、前記符号化手段によって符号化した画像を前記選択した送信方法で送信する送信手段とを有し、通信相手との通信開始前に、前記変換手段は、前記ファクシミリ送信が選択された場合は前記送信すべき画像の色空間をCIELab色空間に変換し、前記電子メールに添付して送信が選択された場合は前記送信すべき画像の色空間をYCrCb色空間に変換することを特徴とする。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
本発明にかかる画像通信方法は、  マニュアル操作に従い、画像をファクシミリ送信する方法または画像を電子メールに添付して送信する方法を選択し、種類が異なる複数の入力手段の一つを使用して、送信すべき画像を入力し、前記選択した送信方法および前記使用した入力手段の種類に従い、前記送信すべき画像を色空間変換する必要があるか否かを判定し、前記判定によって色空間変換が必要と判定される場合、前記選択した送信方法に応じた色空間変換処理を前記送信すべき画像に施し、前記入力した画像、または、前記色空間変換処理を施した画像を符号化し、前記入力した画像、または、前記符号化した画像を前記選択した送信方法で送信する各ステップを有し、通信相手との通信開始前に、前記ファクシミリ送信が選択された場合は前記送信すべき画像の色空間をCIELab色空間に変換し、前記電子メールに添付して送信が選択された場合は前記送信すべき画像の色空間をYCrCb色空間に変換することを特徴とする。
【手続補正８】
【補正対象書類名】明細書
【補正対象項目名】００２１
【補正方法】削除
【補正の内容】
【手続補正９】
【補正対象書類名】明細書
【補正対象項目名】００９０
【補正方法】変更
【補正の内容】
【００９０】
【発明の効果】
以上説明したように、本発明によれば、選択された画像の送信方法に応じて、適切な形態の画像を送信することができる。